(57)【要約】【課題】遊技者が遊技に集中し易い環境を得ることが可能な遊技施設を提供すること。【解決手段】開口部を有し、該開口部内に遊技機が嵌め込まれる遊技機固定領域と、重力方向と垂直かつ前記開口部の面内方向と平行な方向における前記遊技機固定領域の両側の少なくとも一方に、該遊技機固定領域に遊技機が嵌め込まれた場合の該遊技機の前面と垂直方向に延在するように設けられた遮蔽板であって、該遮蔽板の法線方向が前記方向と平行であり、該遮蔽板の全面積あたりの可視光の透過量は、前記遮蔽板が透明であると仮定した場合の該遮蔽板の全面積あたりの可視光の透過量よりも小さい遮蔽板と、を備えることを特徴とする遊技施設。【選択図】図１
2016131807.tif 000002
【特許請求の範囲】
【請求項１】
開口部を有し、該開口部内に遊技機が嵌め込まれる遊技機固定領域と、
重力方向と垂直かつ前記開口部の面内方向と平行な方向における前記遊技機固定領域の両側の少なくとも一方に、該遊技機固定領域に遊技機が嵌め込まれた場合の該遊技機の前面に対して垂直方向に延在するように設けられた遮蔽板であって、該遮蔽板の法線方向が前記方向と平行であり、該遮蔽板の全面積あたりの可視光の透過量は、前記遮蔽板が透明であると仮定した場合の該遮蔽板の全面積あたりの可視光の透過量よりも小さい遮蔽板と、
を備えることを特徴とする遊技施設。
【請求項２】
前記遮蔽板は、前記延在する方向に出し入れ可能に構成されていることを特徴とする請求項１に記載の遊技施設。
【請求項３】
前記遊技機固定領域の前記重力方向上側に設けられ、前記前面に対して垂直方向に延在するように設けられた天井板であって、該天井板の法線方向が前記方向に対して垂直であることを特徴とする請求項１又は２に記載の遊技施設。
【請求項４】
前記天井板は、前記延在する方向に出し入れ可能に構成されていることを特徴とする請求項３に記載の遊技施設。
【請求項５】
前記遮蔽板は、スピーカを備えることを特徴とする請求項１乃至４の何れか一項に記載の遊技施設。
【請求項６】
前記遮蔽板は、透明部材で形成されている窓部を介して収納物を外部から視認可能に収納する収納部を備えることを特徴とする請求項１乃至５の何れか一項に記載の遊技施設。
【請求項７】
前記遮蔽板に画像を投影する投影装置をさらに備えることを特徴とする請求項１乃至６の何れか一項に記載の遊技施設。
【請求項８】
前記遮蔽板は、画像を表示する表示装置を備えることを特徴とする請求項１乃至７の何れか一項に記載の遊技施設。
【請求項９】
前記遮蔽板は、音響反射板を備えることを特徴とする請求項１乃至８の何れか一項に記載の遊技施設。
【請求項１０】
開口部を有し、該開口部内に遊技機が嵌め込まれる遊技機固定領域と、
重力方向と垂直かつ前記開口部の面内方向と平行な方向における前記遊技機固定領域の両側の少なくとも一方に、該遊技機固定領域に遊技機が嵌め込まれた場合の該遊技機の前面に対して垂直方向に延在するように設けられ、前記遊技機固定領域外から前記遊技機への視線を遮る遮蔽板と、
を備えることを特徴とする遊技施設。
【請求項１１】
遊技機固定領域に設けられている開口部に遊技機が嵌め込まれる遊技施設に設けられる遮蔽板であって、
重力方向と垂直かつ前記開口部の面内方向と平行な方向における前記遊技機固定領域の両側の少なくとも一方に、該遊技機固定領域に遊技機が嵌め込まれた場合の該遊技機の前面に対して垂直方向に延在するように設けられ、該遮蔽板の法線方向が前記方向と平行であり、該遮蔽板の全面積あたりの可視光の透過量は、前記遮蔽板が透明であると仮定した場合の該遮蔽板の全面積あたりの可視光の透過量よりも小さい
ことを特徴とする遮蔽板。
【発明の詳細な説明】
【技術分野】
【０００１】
本発明は、遊技施設及び遮蔽板に関する。
【背景技術】
【０００２】
パチンコ機、パチスロ機等の多数の遊技機が設置されている遊技場では、複数の遊技機を備える遊技機島が列を成すように設けられている（特許文献１参照）。このような遊技場では、稼働台数を増やすために、隣り合う遊技機同士の設置間隔が可能な範囲で出来るだけ狭くされる場合が多い。
【先行技術文献】
【特許文献】
【０００３】
【特許文献１】特開２０１４−２０４８９４号公報
【発明の概要】
【発明が解決しようとする課題】
【０００４】
上記した遊技場では、隣り合う遊技機同士の間隔が狭いため、遊技者が隣の遊技機で発生している各種演出等を覗き見ることが出来るような遊技機の配置になっている。このような遊技機の配置では、遊技者によっては、覗き見する隣の遊技者への不快感から遊技に没頭できず、遊技を楽しむことが出来なくなる可能性がある。
【０００５】
本発明は上記に鑑みてなされたものであって、１つの側面では、遊技者が遊技に集中し易い環境を得ることが可能な遊技施設を提供することを目的とする。
【課題を解決するための手段】
【０００６】
本発明の一態様の遊技施設によれば、開口部を有し、該開口部内に遊技機が嵌め込まれる遊技機固定領域と、重力方向と垂直かつ前記開口部の面内方向と平行な方向における前記遊技機固定領域の両側の少なくとも一方に、該遊技機固定領域に遊技機が嵌め込まれた場合の該遊技機の前面と垂直方向に延在するように設けられた遮蔽板であって、該遮蔽板の法線方向が前記方向と平行であり、該遮蔽板の全面積あたりの可視光の透過量は、前記遮蔽板が透明であると仮定した場合の該遮蔽板の全面積あたりの可視光の透過量よりも小さい遮蔽板と、を備える。
【発明の効果】
【０００７】
本発明の実施形態によれば、１つの側面では、遊技者が遊技に集中し易い環境を得ることが可能な遊技施設が提供される。
【図面の簡単な説明】
【０００８】
【図１】本発明の一実施形態に係る遊技施設を例示する斜視図である。
【図２】本発明の一実施形態に係る遊技施設を例示する正面図である。
【図３】本発明の一実施形態に係る遊技施設を例示する斜視図である。
【図４】本発明の一実施形態に係る遊技施設を例示する正面図である。
【図５】本発明の一実施形態に係る遊技施設を例示する正面図である。
【図６】本発明の一実施形態に係る遊技施設を例示する正面図である。
【発明を実施するための形態】
【０００９】
以下、図面を参照して発明を実施するための形態について説明する。各図面において、同一構成部分には同一符号を付し、重複した説明を省略する場合がある。
【００１０】
図１は、本発明の一実施形態に係る遊技施設１００を例示する斜視図である。また、図２は、本発明の一実施形態に係る遊技施設１００を例示する正面図である。
【００１１】
図１に示されるように、遊技施設１００は、複数のパチンコ機１０、膳板２０、遮蔽板３０、天井板４０、パチンコ機１０が設置される領域としての凹部１０１を有する。
【００１２】
パチンコ機１０は、遊技機の一例であり、遊技施設１００の凹部１０１に嵌め込まれて設けられている。遊技施設１００には、複数の凹部１０１が離間して設けられており、それぞれの凹部１０１にパチンコ機１０が嵌め込まれる形で設置されている。
【００１３】
なお、遊技施設１００に設けられるパチンコ機１０の数は、図１に例示される数に限定されるものではない。また、遊技施設１００には、遊技機の一例としてパチスロ機等が設けられてもよい。
【００１４】
膳板２０は、遊技施設１００のパチンコ機１０の下側から略水平に張り出すように設けられている平板状部材である。膳板２０には、例えばパチンコ機１０から払い出された遊技媒体を貯留するための貯留箱等が載置される。
【００１５】
遮蔽板３０は、図１に示されるように、遊技施設１００において隣接するパチンコ機１０の間及び遊技施設１００の両側に設けられている。すなわち、遊技施設１００のある凹部１０１に着目すると、水平方向において該凹部１０１を挟むように遮蔽板３０が設けられ、上記ある凹部１０１の鉛直方向（重力方向）の上側に天井板４０が設けられている。また、上記ある凹部１０１を取り囲むように遮蔽板３０および天井板４０は設けられている。すなわち、上記ある凹部１０１を取り囲むように遮蔽板３０と天井板４０とは位置している。
【００１６】
遮蔽板３０は、図２に示されるように、遊技施設１００から矢印方向に出し入れ可能に設けられている。パチンコ機１０の遊技者は、側面に設けられている把手３１を掴んで遮蔽板３０を遊技施設１００から引き出したり、遮蔽板３０を押し込んで遊技施設１００に収納させたりすることができる。
【００１７】
天井板４０は、図１に示されるように、遊技施設１００に設けられている各パチンコ機１０の上部に設けられている。また、天井板４０は、図２に示されるように、遊技施設１００から矢印方向に出し入れ可能に設けられている。パチンコ機１０の遊技者は、遮蔽板３０と同様に、側面に設けられている把手４１を掴んで天井板４０を遊技施設１００から引き出したり、天井板４０を押し込んで遊技施設１００に収納させたりすることができる。
【００１８】
なお、本実施形態は、これに限定されるものではなく、例えば遮蔽板３０及び天井板４０に所定の凹凸等からなる把手部を形成してもよい。また、上述した遮蔽板３０と天井板４０とが一体に構成されていてもよい。その場合、例えば天井板４０の把手４１を掴んで矢印方向に出し入れ動作を行うと、天井板４０だけでなく、遮蔽板３０も出し入れすることができる。
【００１９】
遮蔽板３０及び天井板４０は、例えば樹脂材料等で形成された平板状部材の側面にレール等が配置されることで構成されるが、遊技施設１００から出し入れ可能であれば異なる材料及び構成が採用されてもよい。遮蔽板３０及び天井板４０の形状は、矩形状に限るものではなく、例えば側縁部が円弧状、波形状に設けられてもよく、遮蔽板３０及び天井板４０の組み合わせにより有意な形状を形作るように構成されてもよい。
【００２０】
また、遮蔽板３０及び天井板４０は、所定の距離まで引き出されると、それ以上は引き出されないような停止機構を備えてもよい。このような停止機構により、引き出し動作による遮蔽板３０及び天井板４０の脱落が防止される。
【００２１】
遮蔽板３０及び天井板４０のうち少なくとも遮蔽板３０は、例えば一方の面側から他方を透けて見ることができないように、例えば不透明材料を用いて形成されていることが好ましい。このような構成により、遊技者は、遊技施設１００から遮蔽板３０を引き出すことで、隣のパチンコ機１０で遊技している遊技者から自分が遊技しているパチンコ機１０への視線を遮ることができる。したがって、遊技者は、周囲の遊技者の視線等を気にすることなく、パチンコ機１０の遊技を集中して行うことが可能になる。
【００２２】
なお、本発明では、遊技者が遊技に没頭できる（集中できる）ことが重要であって、そのために、あるパチンコ機１０を遊技している遊技者にとって、その隣のパチンコ機１０を遊技している遊技者（隣の遊技者）から見られている感覚を低減させること、例えば、隣の遊技者からの目線をなるべく遮る（視線を気付かせない、ないしは気付きにくくさせる）ことが本質である。上記見られている感覚を低減させることを実現するために、本発明では遮蔽板３０を機能させるのである。すなわち、本実施形態では、遮蔽板３０の材料を、不透明材料（少なくとも可視光に対して不透明）としているが、可視光の透過率が低減された材料（例えば、半透明材料）、すりガラス、透明領域と不透明領域とが混在した材料（例えば、遮蔽板３０の縁付近は透明で、それ以外は不透明であったり、透明部材をベースとして不透明な模様を斑状に配置させたりした状態）、入射光の一部を反射させ、一部を透過させる材料（所謂マジックミラー）等、隣の遊技者から見られている感覚を透明な部材を用いるよりも低減できる部材であればいずれのものとしても良い。
【００２３】
すなわち、本発明の一実施形態では、ある凹部１０１の両側に設けられた遮蔽板３０は、遮蔽板３０の内側（ある凹部１０１側）から遮蔽板３０を介して外側を見た際に、そこが透明な状態に比べると見づらくなるように構成されている（本明細書において「そこが透明な状態」とは、そこに何も無い状態、あるいは可視光に対して透明な部材（透明ガラス、透明プラスチック等）が設けられている状態である）。可視光の透過量の観点から言うと、例えば、遮蔽板３０を不透明材料とする場合は、遮蔽板３０は可視光をほとんど透過させないし、半透明材料、透明領域と不透明領域とが混在した材料、マジックミラーは、入射した可視光の一部を透過させている。よって、遮蔽板３０の全面積あたりの可視光の透過量は、遮蔽板３０が透明状態であると仮定した場合の該遮蔽板３０の全面積あたりの可視光の透過量よりも小さいと言える（例えば、可視光の遮蔽板３０を通過する割合が、上記仮定における可視光の遮蔽板３０を通過する割合よりも小さい）。
【００２４】
さて、特にマジックミラーを用いる場合は、マジックミラーとしての遮蔽板３０をパチンコ機１０毎に専用に設ければ良い。さらに、特別感を出すなどの目的により、遊技施設１００のうちの１台のみのパチンコ機１０に遮蔽板３０を設けたり、あるいは、１台以上飛ばした遊技機１０毎に遮蔽板３０を設ける等のレイアウトの際に、遮蔽板３０をマジックミラーにするとより効果的である。その際は、マジックミラーとしての遮蔽板３０によって囲まれた空間内が遮蔽板３０の空間の外側よりも明るい必要がある。よって、例えば、囲まれた空間内にスポットライト等の照射部を設置し、該照射部により囲まれた空間内を照射すれば良い。このように構成することにより、外部（例えば、店員）からは遮蔽板３０に囲まれた空間内を見ることができる一方で、該囲まれた空間内にいる遊技者にとっては遮蔽板３０がミラー状に見えるので、上記外部の目線を気にすることが低減される。すなわち、店員にとっては囲まれた空間内の不正（例えば、ゴト行為等）を監視でき、かつ遊技者にとっては外部からの目線を気にすることなく遊技に没頭することができる。
【００２５】
また、遊技者は、パチンコ機１０の両側の遮蔽板３０及び天井板４０を引き出すことで、図２に示されるように個室的な遊技空間を作り出すことが可能であり、パチンコ機１０の遊技により集中できる環境を作り、遊技をより楽しむことが可能になる。
【００２６】
さらに、遮蔽板３０及び天井板４０は、それぞれ独立して遊技施設１００から出し入れ可能に設けられているため、遊技者が所望する遊技空間を作ることが可能になっている。したがって、遊技者は、例えば図３に示されるようにパチンコ機１０の遮蔽板３０及び天井板４０を遊技施設１００に収納し、開放された空間で遊技を楽しむこともできる（図３において左端のパチンコ機１０）。
【００２７】
また、例えば二人連れの遊技者は、隣り合ったパチンコ機１０の周囲を遮蔽板３０及び天井板４０で覆い、２台のパチンコ機１０の間の遮蔽板３０を遊技施設１００に収納することで、互いの遊技を見ながら各自のパチンコ機１０での遊技を楽しむことができる（図３において中央の２台のパチンコ機１０）。
【００２８】
また、例えば喫煙者等は、パチンコ機１０の両側の遮蔽板３０を引き出し、天井板４０を遊技施設１００に収納することで、周囲からの視線を遮ると共に、煙草の煙が上方に逃げるようにした状態で、パチンコ機１０での遊技を楽しむことができる（図３において右端のパチンコ機１０）。
【００２９】
ここで、遮蔽板３０及び天井板４０には、図４に示されるように、スピーカ３３，４３が設けられてもよい。遮蔽板３０に設けられているスピーカ３３及び天井板４０に設けられているスピーカ４３がパチンコ機１０の音を出力することで、遊技者がより迫力のある音響を楽しむことが可能になる。なお、遮蔽板３０及び天井板４０の何れか一方にスピーカが設けられてもよく、図４に例示されるように両方にスピーカが設けられてもよい。また、スピーカの形状や設置位置等は、図４に例示される構成に限られない。
【００３０】
遮蔽板３０及び天井板４０にスピーカが設けられない場合であっても、遮蔽板３０及び天井板４０を、パチンコ機１０から出力される音を吸収又は拡散させずに遊技者に向かって効率的に反射するように設けられた音響反射板で構成してもよい。遮蔽板３０及び天井板４０を音響反射板で構成することで、遊技者は、遮蔽板３０及び天井板４０を引き出してパチンコ機１０の音をよりよい環境で聴取出来るようになる。
【００３１】
また、遮蔽板３０には、図４に示されるように、遊技施設１００に設けられている投影装置５０によって画像が投影されてもよい。投影装置５０は、例えばプロジェクタ等であり、遊技者により遮蔽板３０が引き出されている時に、パチンコ機１０に接続されて遊技に連動した画像を静止画又は動画として遮蔽板３０に投影する。遊技者は、パチンコ機１０及び遮蔽板３０に投影される画像に囲まれることで、左右の遊技者から自機が見られることがなく、遊技により集中して入り込んでいくことが可能になる。パチンコ機１０としては、投影装置５０に遊技に連動した画像を投影させることで、従来にない新たな演出を行うことが可能になる。
【００３２】
なお、投影装置５０は、パチンコ機１０に設けられてもよく、遮蔽板３０だけでなく天井板４０に画像を投影してもよい。また、投影装置５０は、パチンコ機１０の遊技に連動する画像だけではなく、例えば様々な宣伝広告等の静止画又は動画等を投影してもよい。
【００３３】
また、遮蔽板３０及び天井板４０には、図５に示されるように、それぞれ表示装置３５，４５が設けられてもよい。表示装置３５，４５は、例えば液晶ディスプレイ、有機ＥＬディスプレイ等であり、パチンコ機１０に接続されて遊技に連動した画像を表示する。遊技者は、パチンコ機１０、遮蔽板３０に設けられている表示装置３５及び天井板４０に設けられている表示装置４５に囲まれ、表示される画像によって遊技により集中して没入していくことが可能になる。パチンコ機１０としては、表示装置３５，４５に遊技に連動した画像を投影させることで、従来にない新たな演出を行うことが可能になる。
【００３４】
なお、表示装置は、遮蔽板３０及び天井板４０の全ての面に設けられなくてもよく、各面に設けられる数や形状等は図５に例示される構成に限られない。また、表示装置３５，４５は、パチンコ機１０の遊技に連動する画像だけではなく、例えば様々な宣伝広告等の静止画又は動画等を表示してもよい。また、複数の静止画を所定時間間隔で順次切り替えて表示（スライドショー）してもよい。さらに、遮蔽板３０及び天井板４０には、表示装置３５，４５と共にスピーカ３３，４３が設けられてもよい。遊技者は、表示装置３５，４５に表示される画像と共にスピーカ３３，４３から出力される音も楽しむことが可能になる。
【００３５】
また、遮蔽板３０には、図６に示されるように、収納部３７が設けられてもよい。収納部３７は、例えば宣伝広告やパチンコ機１０の遊技説明が印刷されている用紙等の収納物６０を収納する。収納部３７には、遊技者が収納物６０を見ることが出来るように、透明部材で形成された窓部３８が前面に設けられている。遊技者は、窓部３８を介して、内部に収納されている収納物６０に印刷されている内容を読み取ることができる。
【００３６】
遊技施設１００が設けられている遊技場の事業主は、収納部３７に入れる収納物６０を適宜入れ替えることで、遊技者にその時々に有益な情報等を提供することが可能になる。なお、収納部３７は、例えば上記したスピーカ３３や表示装置３５と共に遮蔽板３０に設けられてもよい。また、収納部３７が設けられている遮蔽板３０に、投影装置５０によって画像が投影されてもよい。
【００３７】
以上で説明したように、本実施形態に係る遊技施設１００では、出し入れ可能に設けられている遮蔽板３０及び天井板４０によって、遊技者が周囲の視線等を気にすることなくパチンコ機１０の遊技に集中できる遊技空間を作り出すことが可能になっている。遊技者は、遮蔽板３０及び天井板４０に囲まれた個室的空間作り出すことで、集中して遊技を楽しむことが可能になる。
【００３８】
また、遊技施設１００では、遮蔽板３０及び天井板４０の少なくとも一方にスピーカ３３，４３を設けてパチンコ機１０の音を出力させたり、遮蔽板３０及び天井板４０の少なくとも一方に音響反射板を設けることにより、より迫力のある音響を提供できる。よって、遊技者が遊技に集中し易くなる環境を作り出すことができる。さらに、遮蔽板３０及び天井板４０の少なくとも一方に表示装置３５，４５を設けたり、遊技施設１００に投影装置５０を設けることにより、パチンコ機１０の遊技に連動した画像を表示することで、遊技者をパチンコ機１０の遊技に引き込むことが可能になる。
【００３９】
このように、遮蔽板３０は、隣の遊技者から見られている感覚を低減させる機能と、遊技者の興趣をさらに高めるための事象を生じさせる構成を、遊技者を取り囲むように位置させる機能との双方を同時に有するものである。
【００４０】
なお、上述のように遮蔽板３０が機能することが重要であるので、遮蔽板３０が可動か不動かは問題では無い。よって、遮蔽板３０は突き出された状態で固定されていても良い。天井板４０についても、突き出された状態で固定されていても良い。
【００４１】
＜他の実施形態＞
上記した本実施形態では、遮蔽板３０及び天井板４０を遊技者が手動で出し入れする構成を例示したが、これに限定されるものではなく、例えば遮蔽板３０及び天井板４０を自動で出し入れ可能な機構（自動スライド機構）が設けられてもよい。この場合、例えば遮蔽板３０及び天井板４０のそれぞれを個別に出し入れするためのボタン部又はスイッチ部が、膳板２０又は膳板２０周辺の所定の位置に設けられる。
【００４２】
例えば、遊技者が引き出し用のボタンを押下している間は、遮蔽板３０や天井板４０が所定の距離（例えば、停止位置）まで自動で引き出される。また、遊技者が押し込み用のボタンを押下している間は、遮蔽板３０や天井板４０の全てが収納されるまで自動で押し込まれる。これにより、例えば遊技者が高齢者で腕の力が弱い場合でも、遮蔽板３０及び天井板４０を出し入れすることが可能になる。
【００４３】
なお、本発明の好適な実施の形態により、特定の具体例を示して本発明を説明したが、特許請求の範囲に定義された本発明の広範な趣旨及び範囲から逸脱することなく、これら具体例に様々な修正及び変更を加えることができることは明らかである。すなわち、具体例の詳細及び添付の図面により本発明が限定されるものと解釈してはならない。
【符号の説明】
【００４４】
１０  パチンコ機（遊技機）
３０  遮蔽板
１００  遊技施設
【図１】
2016131807.tif 000003
【図２】
2016131807.tif 000004
【図３】
2016131807.tif 000005
【図４】
2016131807.tif 000006
【図５】
2016131807.tif 000007
【図６】
2016131807.tif 000008